【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
像担持体と、
前記像担持体に形成された静電像にトナーとキャリアを含む現像剤を供給してトナー像を形成する現像装置と、
前記現像装置内の現像剤のトナー濃度に対応する電圧値を出力するインダクタンスセンサと、
前記像担持体に形成される所定数の静電像の平均画像比率を算出する算出手段と、
前記現像装置に前記現像剤を補給する現像剤補給部と、
前記インダクタンスセンサが出力する電圧値に基づくトナー濃度が目標値となるように前記現像剤補給部を制御して前記現像装置に前記現像剤を補給させる制御部と、
前記算出手段によって算出された平均画像比率が第１の画像比率であるときの前記インダクタンスセンサの磁界の大きさを調整するための制御電圧の絶対値よりも、前記算出手段によって算出された平均画像比率が前記第１の画像比率よりも大きい第２の画像比率であるときの前記制御電圧の絶対値の方が小さくなるように、前記制御電圧を制御する電圧制御手段と、を備えたことを特徴とする画像形成装置。
【請求項２】
前記算出手段によって算出された平均画像比率は、前記所定数の静電像の修正移動平均画像比率であることを特徴とする請求項１に記載の画像形成装置。
【請求項３】
前記算出手段によって算出された平均画像比率は、前記所定数の静電像の指数移動平均画像比率であることを特徴とする請求項１に記載の画像形成装置。
【請求項４】
前記制御部が、前記インダクタンスセンサが出力する電圧値に基づくトナー濃度が所定範囲となるように前記現像装置に対する前記現像剤の補給量を制御することを特徴とする請求項１乃至３のいずれか１項に記載の画像形成装置。
【請求項５】
像担持体と、
前記像担持体に形成された静電像にトナーとキャリアを含む現像剤を供給してトナー像を形成する現像装置と、
前記現像装置内の現像剤のトナー濃度を検知するトナー濃度検知手段と、
前記像担持体に形成される所定数の静電像の平均画像比率を算出する算出手段と、
前記算出手段によって算出された平均画像比率が所定値よりも低いときの前記トナー濃度検知手段が出力するトナー濃度よりも、前記算出手段によって算出された平均画像比率が前記所定値よりも高いときの前記トナー濃度検知手段が出力するトナー濃度の方が高い値となるように、前記トナー濃度検知手段が出力するトナー濃度を調整する調整手段と、
前記現像装置に前記現像剤を補給する現像剤補給部と、
第１補給モードと第２補給モードとを含む複数の補給モードから１つのモードを選択して実行する制御部と、を備え、
前記第１補給モードにおいて、前記制御部は、前記トナー濃度検知手段が出力する、前記調整手段によって調整されていないトナー濃度に基づいて、前記現像剤補給部から前記現像装置への現像剤の補給を制御し、
前記第２補給モードにおいて、前記制御部は、前記トナー濃度検知手段が出力する、前記調整手段によって調整されたトナー濃度に基づいて、前記現像剤補給部から前記現像装置への現像剤の補給を制御することを特徴とする画像形成装置。
【請求項６】
前記算出手段によって算出された平均画像比率は、前記所定数の静電像の修正移動平均画像比率であることを特徴とする請求項５に記載の画像形成装置。
【請求項７】
前記算出手段によって算出された平均画像比率は、前記所定数の静電像の指数移動平均画像比率であることを特徴とする請求項５に記載の画像形成装置。
【請求項８】
前記トナー濃度検知手段は、インダクタンスセンサであることを特徴とする請求項５乃至７のいずれか１項に記載の画像形成装置。
【請求項９】
像担持体と、
前記像担持体に形成された静電像にトナーとキャリアを含む現像剤を供給してトナー像を形成する現像装置と、
前記現像装置内の現像剤のトナー濃度に対応する電圧値を出力するインダクタンスセンサと、
前記現像装置に前記現像剤を補給する現像剤補給部と、
前記インダクタンスセンサが出力する電圧値に基づくトナー濃度が目標値となるように前記現像剤補給部を制御して前記現像装置に前記現像剤を補給させる制御部と、
第１の画像比率の複数の画像が連続的に形成されたときの前記インダクタンスセンサの磁界の大きさを調整するための制御電圧の絶対値よりも、前記第１の画像比率よりも大きい第２の画像比率の複数の画像が連続的に形成されたときの前記制御電圧の絶対値の方が小さくなるように、前記制御電圧の絶対値を制御する電圧制御手段と、を備えたことを特徴とする画像形成装置。
【請求項１０】
前記第１の画像比率は、１０％よりも小さいことを特徴とする請求項９に記載の画像形成装置。
【請求項１１】
像担持体と、
前記像担持体に形成された静電像にトナーとキャリアを含む現像剤を供給してトナー像を形成する現像装置と、
前記現像装置内の現像剤のトナー濃度に対応する電圧値を出力するインダクタンスセンサと、
前記現像装置に前記現像剤を補給する現像剤補給部と、
前記インダクタンスセンサが出力する電圧値に基づくトナー濃度が目標値となるように前記現像剤補給部を制御して前記現像装置に前記現像剤を補給させる制御部と、
前記像担持体に形成される静電像の画像比率が第１の画像比率であるときの前記インダクタンスセンサの磁界の大きさを調整するための制御電圧の絶対値よりも、前記像担持体に形成される静電像の画像比率が前記第１の画像比率よりも大きい第２の画像比率であるときの前記制御電圧の絶対値の方が小さくなるように、前記制御電圧を制御する電圧制御手段と、を備えたことを特徴とする画像形成装置。
【請求項１２】
像担持体と、
前記像担持体に形成された静電像にトナーとキャリアを含む現像剤を供給してトナー像を形成する現像装置と、
前記現像装置内の現像剤のトナー濃度を検知するトナー濃度検知手段と、
前記像担持体に形成される静電像の画像比率が所定値よりも低いときの前記トナー濃度検知手段が出力するトナー濃度よりも、前記像担持体に形成される静電像の画像比率が前記所定値よりも高いときの前記トナー濃度検知手段が出力するトナー濃度の方が高い値となるように、前記トナー濃度検知手段が出力するトナー濃度を調整する調整手段と、
前記現像装置に前記現像剤を補給する現像剤補給部と、
第１補給モードと第２補給モードとを含む複数の補給モードから１つのモードを選択して実行する制御部と、を備え、
前記第１補給モードにおいて、前記制御部は、前記トナー濃度検知手段が出力する、前記調整手段によって調整されていないトナー濃度に基づいて、前記現像剤補給部から前記現像装置への現像剤の補給を制御し、
前記第２補給モードにおいて、前記制御部は、前記トナー濃度検知手段が出力する、前記調整手段によって調整されたトナー濃度に基づいて、前記現像剤補給部から前記現像装置への現像剤の補給を制御することを特徴とする画像形成装置。
【請求項１３】
前記トナー濃度検知手段は、インダクタンスセンサであることを特徴とする請求項１２に記載の画像形成装置。
【手続補正２】
【補正対象書類名】明細書
【補正対象項目名】００１３
【補正方法】変更
【補正の内容】
【００１３】
上記課題を解決するため、本発明の画像形成装置においては、像担持体と、前記像担持体に形成された静電像にトナーとキャリアを含む現像剤を供給してトナー像を形成する現像装置と、前記現像装置内の現像剤のトナー濃度に対応する電圧値を出力するインダクタンスセンサと、前記像担持体に形成される所定数の静電像の平均画像比率を算出する算出手段と、前記現像装置に前記現像剤を補給する現像剤補給部と、前記インダクタンスセンサが出力する電圧値に基づくトナー濃度が目標値となるように前記現像剤補給部を制御して前記現像装置に前記現像剤を補給させる制御部と、前記算出手段によって算出された平均画像比率が第１の画像比率であるときの前記インダクタンスセンサの磁界の大きさを調整するための制御電圧の絶対値よりも、前記算出手段によって算出された平均画像比率が前記第１の画像比率よりも大きい第２の画像比率であるときの前記制御電圧の絶対値の方が小さくなるように、前記制御電圧を制御する電圧制御手段と、を備えたことを特徴とする構成を採用した。
あるいは、本発明の画像形成装置においては、像担持体と、前記像担持体に形成された静電像にトナーとキャリアを含む現像剤を供給してトナー像を形成する現像装置と、前記現像装置内の現像剤のトナー濃度を検知するトナー濃度検知手段と、前記像担持体に形成される所定数の静電像の平均画像比率を算出する算出手段と、前記算出手段によって算出された平均画像比率が所定値よりも低いときの前記トナー濃度検知手段が出力するトナー濃度よりも、前記算出手段によって算出された平均画像比率が前記所定値よりも高いときの前記トナー濃度検知手段が出力するトナー濃度の方が高い値となるように、前記トナー濃度検知手段が出力するトナー濃度を調整する調整手段と、前記現像装置に前記現像剤を補給する現像剤補給部と、第１補給モードと第２補給モードとを含む複数の補給モードから１つのモードを選択して実行する制御部と、を備え、前記第１補給モードにおいて、前記制御部は、前記トナー濃度検知手段が出力する、前記調整手段によって調整されていないトナー濃度に基づいて、前記現像剤補給部から前記現像装置への現像剤の補給を制御し、前記第２補給モードにおいて、前記制御部は、前記トナー濃度検知手段が出力する、前記調整手段によって調整されたトナー濃度に基づいて、前記現像剤補給部から前記現像装置への現像剤の補給を制御する構成を採用した。
あるいは、本発明の画像形成装置においては、像担持体と、前記像担持体に形成された静電像にトナーとキャリアを含む現像剤を供給してトナー像を形成する現像装置と、前記現像装置内の現像剤のトナー濃度に対応する電圧値を出力するインダクタンスセンサと、前記現像装置に前記現像剤を補給する現像剤補給部と、前記インダクタンスセンサが出力する電圧値に基づくトナー濃度が目標値となるように前記現像剤補給部を制御して前記現像装置に前記現像剤を補給させる制御部と、第１の画像比率の複数の画像が連続的に形成されたときの前記インダクタンスセンサの磁界の大きさを調整するための制御電圧の絶対値よりも、前記第１の画像比率よりも大きい第２の画像比率の複数の画像が連続的に形成されたときの前記制御電圧の絶対値の方が小さくなるように、前記制御電圧の絶対値を制御する電圧制御手段と、を備えた構成を採用した。
あるいは、本発明の画像形成装置においては、像担持体と、前記像担持体に形成された静電像にトナーとキャリアを含む現像剤を供給してトナー像を形成する現像装置と、前記現像装置内の現像剤のトナー濃度に対応する電圧値を出力するインダクタンスセンサと、前記現像装置に前記現像剤を補給する現像剤補給部と、前記インダクタンスセンサが出力する電圧値に基づくトナー濃度が目標値となるように前記現像剤補給部を制御して前記現像装置に前記現像剤を補給させる制御部と、前記像担持体に形成される静電像の画像比率が第１の画像比率であるときの前記インダクタンスセンサの磁界の大きさを調整するための制御電圧の絶対値よりも、前記像担持体に形成される静電像の画像比率が前記第１の画像比率よりも大きい第２の画像比率であるときの前記制御電圧の絶対値の方が小さくなるように、前記制御電圧を制御する電圧制御手段と、を備えた構成を採用した。
あるいは、本発明の画像形成装置においては、像担持体と、前記像担持体に形成された静電像にトナーとキャリアを含む現像剤を供給してトナー像を形成する現像装置と、前記現像装置内の現像剤のトナー濃度を検知するトナー濃度検知手段と、前記像担持体に形成される静電像の画像比率が所定値よりも低いときの前記トナー濃度検知手段が出力するトナー濃度よりも、前記像担持体に形成される静電像の画像比率が前記所定値よりも高いときの前記トナー濃度検知手段が出力するトナー濃度の方が高い値となるように、前記トナー濃度検知手段が出力するトナー濃度を調整する調整手段と、前記現像装置に前記現像剤を補給する現像剤補給部と、第１補給モードと第２補給モードとを含む複数の補給モードから１つのモードを選択して実行する制御部と、を備え、前記第１補給モードにおいて、前記制御部は、前記トナー濃度検知手段が出力する、前記調整手段によって調整されていないトナー濃度に基づいて、前記現像剤補給部から前記現像装置への現像剤の補給を制御し、前記第２補給モードにおいて、前記制御部は、前記トナー濃度検知手段が出力する、前記調整手段によって調整されたトナー濃度に基づいて、前記現像剤補給部から前記現像装置への現像剤の補給を制御する構成を採用した。